(57)【要約】【課題】一台の内線端末に複数の内線番号を付与することはできなかった。【解決手段】ＰＳ１１毎に通常内線番号を記憶するＭＥＭ１６と、発信端末からＰＳに対する発信動作に伴って、発信端末で指定した通常内線番号を受信すると、この通常内線番号に対応したＰＳをＭＥＭから特定し、この特定したＰＳと発信端末とを通信接続するＣＰＵ１７とを有する構内交換機１であって、ＭＥＭは、ＰＳ毎に、通常内線番号の他に、ダミー番号を記憶しておき、ＣＰＵは、発信動作に伴って、発信端末で指定したＰＳのダミー番号を受信すると、このダミー番号に対応したＰＳをＭＥＭから特定し、この特定したＰＳと発信端末とを通信接続するようにした。【選択図】　図１
2004064173.tif 000002
【特許請求の範囲】
【請求項１】
内線端末毎に通常内線番号を記憶する記憶手段と、発信端末からの発信動作に伴って、前記発信端末で指定した前記通常内線番号を受信すると、この通常内線番号に対応した内線端末を前記記憶手段から特定し、この特定した内線端末と前記発信端末とを通信接続する制御手段とを有する構内交換機であって、
前記記憶手段は、
前記内線端末毎に、前記通常内線番号の他に、ダミー番号を記憶しておき、
前記制御手段は、
前記発信動作に伴って、前記発信端末で指定した前記ダミー番号を受信すると、このダミー番号に対応した内線端末を前記記憶手段から特定し、この特定した内線端末と前記発信端末とを通信接続するようにしたことを特徴とする構内交換機。
【請求項２】
前記通常内線番号による発信動作に応じて、前記特定した内線端末から前記発信端末への応答がない場合、この特定した内線端末の通常内線番号をボックス番号とし、このボックス番号に対応したメモリ領域に前記発信端末からの音声内容を録音するボイスメール装置を有し、
このボイスメール装置は、
前記ダミー番号による発信動作に応じて、前記特定した内線端末から前記発信端末への応答がない場合、この特定した内線端末のダミー番号をボックス番号とし、このボックス番号に対応したメモリ領域に前記発信端末からの音声内容を録音することを特徴とする請求項１記載の構内交換機。
【請求項３】
前記制御手段は、
前記発信動作を検出すると、前記発信端末で指定した通常内線番号又はダミー番号を、前記特定した内線端末に送信する番号送信手段を有し、
前記特定した内線端末は、
前記番号送信手段からの通常内線番号又はダミー番号を受信すると、この受信した通常内線番号又はダミー番号を表示する表示手段を有することを特徴とする請求項１又は２記載の構内交換機。
【発明の詳細な説明】
【０００１】
【発明の属する技術分野】
本発明は、例えば会社等の構内における構内ＰＨＳ等を収容接続する構内交換機に関する。
【０００２】
【従来の技術】
従来、このような構内交換機としては、構内ＰＨＳ等の内線端末毎に通常内線番号を記憶するメモリと、発信端末からの発信動作に伴って、発信端末で指定した通常内線番号を受信すると、この通常内線番号に対応した内線端末をメモリから特定し、この特定した内線端末と発信端末とを通信接続する中央制御装置とを有している。
【０００３】
このような構内交換機としては、例えば社員毎に構内ＰＨＳを付与し、社員が社内にいる場合には、構内ＰＨＳの通常内線番号をダイヤル操作するだけで、この通常内線番号の構内ＰＨＳを携帯した社員と通話することが可能となる。つまり、構内ＰＨＳの通常内線番号が同社員の個人番号として捉えることもできる。
【０００４】
例えば、ある社員がある部署の部長に昇進すると、この社員の携帯する構内ＰＨＳの通常内線番号は、部長としての通常内線番号ともなることから、同部長の通常内線番号を社内に周知徹底すべく、社内用電話番号表を社内で配布することで、同社員の通常内線番号は部長の通常内線番号と社内的に認識することになる。
【０００５】
例えば現部長である社員の通常内線番号が２０００番で、新たな部長である社員の通常内線番号が２５００番の場合、現部長から新たな部長に代わると、部長の通常内線番号が２０００番から２５００番に変更されることから、部長の通常内線番号が２０００番から２５００番に変更されたことを社内電話番号表で社内に配布する必要がある。
【０００６】
しかしながら、社員の通常内線番号を個人番号としながら、この通常内線番号を部長の通常内線番号とするためには社内電話番号表を配布することで、部長の内線番号に変更があったことを通知する必要があるため、この通知には非常に手間がかかり、しかも、部長の通常内線番号の変更を周知徹底するまでにはタイムラグが生じる。
【０００７】
そこで、このような事態に対処すべく、部長専用の通常内線番号を付与した部長専用の構内ＰＨＳを用意することも考えられる。
【０００８】
このように社員個人の構内ＰＨＳの他に部長専用の構内ＰＨＳを付与することで、社員個人の構内ＰＨＳの通常内線番号を個人番号としながら、部長の通常内線番号を変更する必要もなく、ひいては、その変更通知の社内電話番号表を配布する手間もなくなる。
【０００９】
【発明が解決しようとする課題】
しかしながら、上記従来の構内交換機によれば、社員個人の構内ＰＨＳの他に、部長専用の構内ＰＨＳを別途付与することで、社員個人の構内ＰＨＳの通常内線番号を個人番号として確保しながら、部長専用の通常内線番号も得ることもできるが、役職の数だけ構内ＰＨＳの数を確保しなければならない。
【００１０】
本発明は上記点に鑑みてなされたものであり、その目的とするところは、構内ＰＨＳ（内線端末）の数を増やすことなく、一台の内線端末に対して、例えば個人や役職に応じた複数の内線番号を確保することができる構内交換機を提供することにある。
【００１１】
【課題を解決するための手段】
上記目的を達成するために本発明の構内交換機は、内線端末毎に通常内線番号を記憶する記憶手段と、発信端末からの発信動作に伴って、前記発信端末で指定した前記通常内線番号を受信すると、この通常内線番号に対応した内線端末を前記記憶手段から特定し、この特定した内線端末と前記発信端末とを通信接続する制御手段とを有する構内交換機であって、前記記憶手段は、前記内線端末毎に、前記通常内線番号の他に、ダミー番号を記憶しておき、前記制御手段は、前記発信動作に伴って、前記発信端末で指定した前記ダミー番号を受信すると、このダミー番号に対応した内線端末を前記記憶手段から特定し、この特定した内線端末と前記発信端末とを通信接続するようにした。
【００１２】
従って、本発明の構内交換機によれば、一台の内線端末に対して通常内線番号の他にダミー番号を付与することで、通常内線番号による発信でも内線端末に対して通信接続可能となることは勿論のこと、ダミー番号による発信でも通信接続が可能となるようにしたので、例えば通常内線番号を個人用の内線番号、ダミー番号を役職用の内線番号とした場合、内線端末の数を増やさなくても、一台の内線端末で個人用又は役職用に使い分けることができる。
【００１３】
本発明の構内交換機は、前記通常内線番号による発信動作に応じて、前記特定した内線端末から前記発信端末への応答がない場合、この特定した内線端末の通常内線番号をボックス番号とし、このボックス番号に対応したメモリ領域に前記発信端末からの音声内容を録音するボイスメール装置を有し、このボイスメール装置は、前記ダミー番号による発信動作に応じて、前記特定した内線端末から前記発信端末への応答がない場合、この特定した内線端末のダミー番号をボックス番号とし、このボックス番号に対応したメモリ領域に前記発信端末からの音声内容を録音するようにした。
【００１４】
従って、本発明の構内交換機によれば、通常内線番号及びダミー番号をボックス番号とし、通常内線番号で発信があった場合には、この通常内線番号のボックス番号に対応するメモリ領域に発信端末からの音声内容を録音することは勿論のこと、ダミー番号で発信があった場合には、このダミー番号のボックス番号に対応するメモリ領域に発信端末からの音声内容を録音するようにしたので、例えば通常内線番号を個人用の内線番号、ダミー番号を役職用の内線番号とした場合、内線端末側のユーザは、通常内線番号又はダミー番号でボイスメール装置に録音された自分宛の録音内容を受聴することができ、通常内線番号で録音内容を受聴する場合には個人的な内容、ダミー番号で録音内容を受聴する場合には役職的な内容といった具合に選択することができる。
【００１５】
本発明の構内交換機は、前記制御手段が、前記発信動作を検出すると、前記発信端末で指定した通常内線番号又はダミー番号を、前記特定した内線端末に送信する番号送信手段を有し、前記特定した内線端末は、前記番号送信手段からの通常内線番号又はダミー番号を受信すると、この受信した通常内線番号又はダミー番号を表示する表示手段を有するようにした。
【００１６】
従って、本発明の構内交換機によれば、通常内線番号で発信を受けた場合には同発信を受けた通常内線番号を表示手段に表示すると共に、ダミー番号で発信を受けた場合には同発信を受けたダミー番号を表示手段に表示するようにしたので、内線端末側のユーザでは、表示手段の表示内容を目視することで、通常内線番号又はダミー番号で発信を受けたかを認識することができ、例えば通常内線番号を個人用の内線番号、ダミー番号を役職用の内線番号とした場合、内線端末のユーザは、個人としての着信又は役職としての着信かを認識することができる。
【００１７】
【発明の実施の形態】
以下、図面に基づいて本発明の実施の形態を示す構内交換機について説明する。図１は本実施の形態を示す構内交換機内部の概略構成を示すブロック図である。
【００１８】
図１において構内交換機１は、複数の内線端末を収容接続する社内用交換機であって、内線端末である複数の構内ＰＨＳ（以下、単にＰＳと称する）１１と、これら複数のＰＳ１１を収容接続する構内基地局（以下、単にＢＳと称する）１２と、内線端末である複数の有線電話機１３と、着信対象の内線端末が話中又は不応答の場合に発信端末からの音声内容を録音するボイスメール装置（以下、単にＶＭＳと称する）１４と、これらＢＳ１２、有線電話機１３及びＶＭＳ１４間の通話路を形成する通話路スイッチ（以下、単にＳＷと称する）１５と、例えば局データや制御プログラム等の様々なデータを記憶するメモリ（以下、単にＭＥＭと称する）１６と、この構内交換機１全体を制御する中央制御装置（以下、単にＣＰＵと称する）１７とを有している。尚、ＰＳ１１には、情報等を表示する表示部が設けてある。
【００１９】
図２はＭＥＭ１６に記憶されたＰＳ１１に関わるデータ内容を端的に示す説明図である。
【００２０】
ＭＥＭ１６は、アドレス番号（内線番号）を示す内線番号エリア１６Ａと、この内線番号毎にＰＳ１１に関わる情報を記憶する第１エリア１６Ｂ及び第２エリア１６Ｃとで構成している。
【００２１】
第１エリア１６Ｂには、内線番号の種別、例えばＰＳ１１の通常内線番号（個人用の内線番号）であるか、ダミー番号（役職用の内線番号）であるかを示す呼出先種別が記憶されている。
【００２２】
第２エリア１６Ｃには、内線番号に対応する内線端末に関わる情報、例えば同内線番号が通常内線番号（個人用の内線番号）の場合は同内線番号のＰＳ１１に関わる情報や、同内線番号がダミー番号（役職用の内線番号）の場合は対応するＰＳ１１の通常内線番号が記憶されている。
【００２３】
例えば総務部の部長の内線番号は２０００番、経理部の部長の内線番号は２００１番といった具合に、例えば２０００番から２１００番までの内線番号をダミー番号（役職用の内線番号）として確保しておく。
【００２４】
そして、１０００番の通常内線番号の社員が経理部の部長になった場合には、この経理部の部長は、１０００番の通常内線番号（個人用の内線番号）の他に、２０００番のダミー番号が付与されることになる。この際、内線番号エリア１６Ａの１０００番に対応する第１エリア１６Ｂの呼出先種別にはＰＳ、第２エリア１６Ｃの呼出先情報には呼出先ＰＳ情報が記憶され、さらに内線番号エリア１６Ａの２０００番に対応する第１エリア１６Ｂの呼出先種別にはダミー番号、第２エリア１６Ｃの呼出先情報には同社員のＰＳ１１に対応した通常内線番号“１０００番”が記憶されることになる。
【００２５】
また、役職に変更が生じたとしても、同ダミー番号に対応する第２エリア１６Ｃ内の呼出先ＰＳ内線番号を新しく役職についた社員の通常内線番号に書き換えるだけで対処することができる。
【００２６】
尚、請求項記載の記憶手段はＭＥＭ１６、制御手段及び番号送信手段はＣＰＵ１７に相当するものである。
【００２７】
次に本実施の形態を示す構内交換機１の動作について説明する。図３は本実施の形態におけるＰＳ通信確立処理に関わるＣＰＵ１７内部の処理動作を示すフローチャートである。
【００２８】
図３に示すＰＳ通信確立処理とは、発信端末から内線番号又はダミー番号で特定したＰＳ１１を呼び出し、このＰＳ１１が応答した場合には、ＰＳ１１及び発信端末間の通信を確立すると共に、ＰＳ１１が不応答又は話中の場合には、発信端末及びＶＭＳ間の通信を確立する処理である。
【００２９】
図３においてＣＰＵ１７は、発信端末からの発信動作に伴って内線番号を受信したか否かを判定する（ステップＳ１１）。ＣＰＵ１７は、内線番号を受信したと判定されると、図２に示すＭＥＭ１６の同内線番号に対応する第１エリア１６Ｂに基づいて、呼出先種別がＰＳであるか否かを判定する（ステップＳ１２）。
【００３０】
同呼出先種別がＰＳであると判定されると、同内線番号が個人用の内線番号と判断し、同内線番号に対応する第２エリア１６Ｃに基づいて、呼出先ＰＳ情報を読み出し（ステップＳ１３）、受信した内線番号をＭＥＭ１６にセーブする（ステップＳ１４）。尚、ＭＥＭ１６では、発信動作毎に受信した内線番号を一時的に記憶するものである。
【００３１】
次にＣＰＵ１７は、この受信した内線番号に対応するＰＳ１１が現在話中であるか否かを判定する（ステップＳ１５）。このＰＳ１１が現在話中でないと判定されると、ＰＳ呼出タイマをスタートする（ステップＳ１６）。
【００３２】
ＣＰＵ１７は、ＰＳ呼出タイマをスタートすると、受信した内線番号に対応するＰＳ１１への呼出動作を実行し（ステップＳ１７）、ステップＳ１６にてスタートしたＰＳ呼出タイマがタイムアップしたか否かを判定する（ステップＳ１８）。尚、ＣＰＵ１７では、ステップＳ１７のＰＳ呼出動作中に、ステップＳ１１にて受信した内線番号を併せて同ＰＳ１１に通知するものである。従って、ＰＳ１１側では、ＣＰＵ１７から通知を受けた内線番号を受信すると、この内線番号を表示部に表示するようにしている。
【００３３】
ＣＰＵ１７は、ＰＳ呼出タイマがタイムアップしたのでなければ、現在呼出動作中のＰＳ１１が応答したか否かを判定する（ステップＳ１９）。ＣＰＵ１７は、現在呼出動作中のＰＳ１１が応答したのであれば、発信端末とＰＳ１１との通信を確立することで（ステップＳ２０）、この処理動作を終了する。
【００３４】
また、ＣＰＵ１７は、ステップＳ１８にてＰＳ呼出タイマがタイムアップしたのであれば、ＶＭＳ１４が呼出可能であるか否かを判定する（ステップＳ２１）。ＶＭＳ１４が呼出可能であると判断されると、現在呼出動作中のＰＳ１１との通信を切断し（ステップＳ２２）、ＶＭＳ１４に対する呼出動作を実行する（ステップＳ２３）。
【００３５】
さらに、ＣＰＵ１７は、ＶＭＳ１４への呼出動作を実行すると、ＶＭＳ１４からの応答を検出したか否かを判定する（ステップＳ２４）。ＣＰＵ１７は、ＶＭＳ１４からの応答を検出したのであれば、ステップＳ１４にてセーブした内線番号をボックス番号としてＶＭＳ１４に送信し（ステップＳ２５）、このボックス番号に対応したＶＭＳ１４のメモリ領域に発信端末からの音声内容を録音すべく、ＶＭＳ１４及び発信端末間の通信を確立することで（ステップＳ２６）、この処理動作を終了する。
【００３６】
また、ＣＰＵ１７は、ステップＳ１２にて内線番号に対応する第１エリア１６Ｂに基づいて、呼出先種別がＰＳでないと判定されると、この呼出先種別がダミー番号（役職用の内線番号）と判断し、この内線番号に対応する第２エリア１６Ｃに基づいて呼出先ＰＳ内線番号を読み出すことになる（ステップＳ２７）。
【００３７】
さらに、ＣＰＵ１７は、この呼出先ＰＳ内線番号に対応する内線番号を内線番号エリア１６Ａから検索し、この検索した内線番号に対応する第２エリア１６Ｃの呼出先ＰＳ情報を読み出し（ステップＳ２８）、ステップＳ１１にて受信した内線番号、つまりダミー番号をＭＥＭ１６にセーブすべく、ステップＳ１４に移行することになる。
【００３８】
また、ステップＳ１５にて内線番号に対応するＰＳ１１が現在話中であれば、ＶＭＳ１４に接続すべく、ステップＳ２１に移行する。
【００３９】
尚、ステップＳ２５にてセーブした内線番号をＶＭＳ１４のボックス番号として、このボックス番号に対応するメモリ領域に発信端末からの音声内容を録音するようにしているが、このボックス番号は、発信端末から受信した内線番号がダミー番号の場合にはダミー番号（役職用の内線番号）に対応するボックス番号のメモリ領域に音声内容を録音すると共に、発信端末からの受信した内線番号が通常内線番号の場合には通常内線番号（個人用の内線番号）に対応するボックス番号のメモリ領域に音声内容を録音するようにしている。
【００４０】
また、ステップＳ１１にて発信端末からの発信動作に伴って内線番号を受信したのでなければ、この処理動作を終了する。
【００４１】
ステップＳ１７にて呼出動作を受けたＰＳ１１側では、通常内線番号で発信を受けた場合には同発信を受けた通常内線番号を表示部に表示すると共に、ダミー番号で発信を受けた場合には同発信を受けたダミー番号を表示部に表示するようにしている。
【００４２】
本実施の形態によれば、一台のＰＳ１１に対して通常内線番号の他にダミー番号を付与することで、通常内線番号でもＰＳ１１に対して通信接続可能となることは勿論のこと、ダミー番号でも通信接続が可能となるようにしたので、例えば通常内線番号を個人用の内線番号、ダミー番号を役職用の内線番号とした場合、ＰＳ１１の数を増やさなくても、一台のＰＳ１１で個人用又は役職用に使い分けることができる。
【００４３】
また、ＰＳ１１側では、通常内線番号で発信を受けた場合には同発信を受けた通常内線番号を表示部に表示すると共に、ダミー番号で発信を受けた場合には同発信を受けたダミー番号を表示部に表示するようにしたので、ＰＳ１１側のユーザでは、表示部の表示内容を目視することで、通常内線番号又はダミー番号で発信を受けたかを認識することができ、さらには、通常内線番号で発信を受けた場合には個人的な内容での着信か、ダミー番号で発信を受けた場合には役職的な内容での着信かといった具合にある程度認識することができる。
【００４４】
本実施の形態によれば、通常内線番号で発信を受けたＰＳ１１が不応答又は話中の場合には、この通常内線番号に対応するボックス番号のメモリ領域に音声内容を録音することは勿論のこと、ダミー番号で発信を受けたＰＳ１１が不応答又は話中の場合には、このダミー番号に対応するボックス番号のメモリ領域に音声内容を録音するようにしたので、ＰＳ１１側のユーザは、通常内線番号又はダミー番号でＶＭＳ１４に録音された自分宛の録音内容を受聴することができ、通常内線番号で録音内容を受聴する場合には個人的な内容、ダミー番号で録音内容を受聴する場合には役職的な内容といった具合に選択することができる。
【００４５】
また、本実施の形態によれば、発信端末側のユーザでは、個人としてＰＳ１１に呼び出しをかけたい場合には通常内線番号を使用して発信し、役職としてＰＳ１１に呼び出しをかけたい場合にはダミー番号を使用して発信するようにしたので、使用するダイヤル番号で個人用や役職用かを分別することができる。
【００４６】
また、本実施の形態によれば、役職に変更が生じたとしても、同役職に対応するダミー番号の第２エリア１６Ｃに登録した呼出先ＰＳ内線番号を新たに役職についた社員の通常内線番号に書き換えるだけで、役職変更に迅速に対応することができる。
【００４７】
尚、上記実施の形態においては、通常内線番号及びダミー番号を付与した内線端末としてＰＳ１１を例にあげて説明したが、通常内線番号を付与された内線端末、例えば有線電話機１３等であっても同様の効果が得られることは言うまでもない。
【００４８】
また、上記実施の形態においては、１台の内線端末に通常内線番号の他に、一つのダミー番号を付与するようにしたが、複数のダミー番号を付与することも可能であることは言うまでもない。
【００４９】
また、上記実施の形態においては、説明の便宜上、ダミー番号を役職の内線番号として説明してきたが、役職等に限定されるものではなく、言うなれば、１台の内線端末で通常内線番号の他に複数のダミー番号を得ることができるという技術内容が本出願の主旨であることは言うまでもない。
【００５０】
【発明の効果】
上記のように構成された本発明の構内交換機によれば、一台の内線端末に対して通常内線番号の他にダミー番号を付与することで、通常内線番号による発信でも内線端末に対して通信接続可能となることは勿論のこと、ダミー番号による発信でも通信接続が可能となるようにしたので、例えば通常内線番号を個人用の内線番号、ダミー番号を役職用の内線番号とした場合、内線端末の数を増やさなくても、一台の内線端末で個人用又は役職用に使い分けることができる。
【００５１】
本発明の構内交換機によれば、通常内線番号及びダミー番号をボックス番号とし、通常内線番号で発信があった場合には、この通常内線番号のボックス番号に対応するメモリ領域に発信端末からの音声内容を録音することは勿論のこと、ダミー番号で発信があった場合には、このダミー番号のボックス番号に対応するメモリ領域に発信端末からの音声内容を録音するようにしたので、例えば通常内線番号を個人用の内線番号、ダミー番号を役職用の内線番号とした場合、内線端末側のユーザは、通常内線番号又はダミー番号でボイスメール装置に録音された自分宛の録音内容を受聴することができ、通常内線番号で録音内容を受聴する場合には個人的な内容、ダミー番号で録音内容を受聴する場合には役職的な内容といった具合に選択することができる。
【００５２】
本発明の構内交換機によれば、通常内線番号で発信を受けた場合には同発信を受けた通常内線番号を表示手段に表示すると共に、ダミー番号で発信を受けた場合には同発信を受けたダミー番号を表示手段に表示するようにしたので、内線端末側のユーザでは、表示手段の表示内容を目視することで、通常内線番号又はダミー番号で発信を受けたかを認識することができ、例えば通常内線番号を個人用の内線番号、ダミー番号を役職用の内線番号とした場合、内線端末のユーザは、個人としての着信又は役職としての着信かを認識することができる。
【図面の簡単な説明】
【図１】本発明の実施の形態を示す構内交換機内部の概略構成を示すブロック図である。
【図２】本実施の形態のＭＥＭに記憶されたＰＳに関わるデータ内容を端的に示す説明図である。
【図３】本実施の形態のＰＳ通信確立処理に関わるＣＰＵの処理動作を示すフローチャートである。
【符号の説明】
１　　構内交換機
１１　構内ＰＨＳ（ＰＳ：内線端末）
１３　有線電話機（内線端末）
１４　ボイスメール装置（ＶＭＳ）
１６　メモリ（ＭＥＭ：記憶手段）
１７　中央制御装置（ＣＰＵ：制御手段、番号送信手段）
【図１】
2004064173.tif 000003
【図２】
2004064173.tif 000004
【図３】
2004064173.tif 000005